(57)【要約】【課題】アンケート用紙、選挙用紙、問診用紙など選択肢を有するカードに関して、簡単にアンケート等の情報を選択でき、かつ選択した情報の読み取り／収集が容易にできる情報カードを提供する。【解決手段】選択肢１０Ａ，１０Ｂ，１０Ｃが記載されている選択肢部１０と、この選択肢部１０内の各選択肢１０Ａ，１０Ｂ，１０Ｃに対応する選択肢線ａ，ｂ，ｃと、これらの選択肢線ａ，ｂ，ｃを辿ることにより最終的に到達し上記選択された情報が集積されている選択情報集積部１００Ａ〜１００Ｇを備え、選択情報集積部１００Ａ〜１００Ｇの情報をバーコード読取機等の自動読取機により読み取ることができるようになっている。【選択図】        図１
2004202942.tif 000002
【特許請求の範囲】
【請求項１】
選択肢が記載されている選択肢部と、この選択肢部内の各選択肢に対応する選択肢線と、この選択肢線を辿ることにより到達し上記選択された情報が集積されている選択情報集積部とを備え、
上記選択情報集積部の情報を自動読取機により読み取ることができる情報カード。
【請求項２】
上記情報カードに、予めカード種別情報が明記され、このカード種別情報が上記選択情報集積部の情報として記録されていることを特徴とする請求項１に記載の情報カード。
【発明の詳細な説明】
【０００１】
【発明の属する技術分野】
この発明は、アンケート用紙、選挙用紙、問診用紙など、選択肢を有する情報カードに係り、特に読み取り／集計作業が容易になる情報カードに関するものである。
【０００２】
【従来の技術】
従来、顧客対応機能付き店舗ＰＯＳシステムにおいて、顧客対応制御装置に、顧客へのアンケートを生成するアンケート生成部と、アンケートを記憶しているアンケートメモリと、アンケートに基づき表示データを生成する表示データ生成部と、表示データを表示出力する表示部と、顧客がアンケートに答え直接入力する顧客操作部を設置したものがあった（例えば特許文献１参照）。
【０００３】
【特許文献１】
特開平１１−２７２９５７号公報
【０００４】
【発明が解決しようとする課題】
従来の顧客対応機能付き店舗ＰＯＳシステムにおいては、係員が顧客より聞き取った要望事項や、新規商品情報、新規サービス情報などの顧客対応情報を、操作部より入力する必要があった。また、顧客は表示出力によりガイドされて購入商品に対する感想や要望等を顧客操作部を介して操作入力する必要があった。このように従来のシステムでは、係員による情報の入力作業、又は顧客による情報の入力作業が必要であり、その分手間や時間がかかり、特に操作に不慣れな係員や顧客においては非効率なシステムとなる恐れがある。更に、係員が操作するための操作部や、顧客が操作するための顧客操作部を新たに設置する必要があり、システムとして高価になるという問題があった。
【０００５】
この発明は、上記のような問題点を解消するためになされたものであり、新規商品のアンケート等、選択肢を有するものにおいて、簡単にアンケート等の情報を選択でき、かつ選択した情報の読み取り／収集が容易にできる情報カードを提供する。
【０００６】
【課題を解決するための手段】
この発明の情報カードは、選択肢が記載されている選択肢部と、この選択肢部内の各選択肢に対応する選択肢線と、この選択肢線を辿ることにより到達し上記選択された情報が集積されている選択情報集積部とを備え、選択情報集積部の情報を自動読取機により読み取ることができるようになっている。
【０００７】
また、この発明の情報カードは、上記情報カードに、予めカード種別情報が明記され、このカード種別情報が上記選択情報集積部の情報として記録されていることを特徴とする。
【０００８】
【発明の実施の形態】
実施の形態１．
図１はこの発明の実施の形態１による情報カードを示す構成図である。図１において、本実施の形態の情報カード１は、選択肢が記載されている選択肢部１０，２０，３０，４０，５０と、上記選択肢部１０，２０，３０，４０，５０内の選択肢を選ぶことにより自ずと決定される選択肢線ａ〜ｋと、この選択肢線ａ〜ｋを辿ることにより最終的に行き着く選択情報集積部１００Ａ〜１００Ｇと、この情報カードの種別を記載したカード種別情報２００を有している。
【０００９】
選択情報集積部１００Ａ〜１００Ｇには、上記選択肢部１０，２０，３０，４０，５０で選んだ結果の各選択肢の情報と、カード種別情報２００が集積されている。例えば、選択情報集積部１００Ａは、選択肢部１０で選択肢１０Ａを選択し、選択肢線ａを辿って選択肢部２０で選択肢２０Ａを選択し、選択肢線ｄを辿って選択肢部３０で選択肢３０Ａを選択した結果の選択肢情報（選択肢１０Ａ，選択肢２０Ａ，選択肢３０Ａの内容）と、カード種別情報２００が集積されている。この選択情報集積部１００Ａ〜１００Ｇは、例えばバーコード、穿孔、磁性体、ＩＣチップ等により形成され、磁気的・光学的・電気的な読み取り手段により自動的に読み取ることができるようになっている。
【００１０】
図２は図１の情報カードを「新商品アイスクリームＡＡＡに関するアンケートカード」に適用した例を示す。図２において、カード種別情報２００として「女性用」であることが明記されており、この情報は選択肢集積部であるバーコード１００Ａ〜１００Ｇに記録されている。一方、「あなたのお買いになられた種類は？」等が選択肢部であり、この選択肢部の中の「▲１▼フルーツミックス、▲２▼コーヒー味、▲３▼バニラ」が選択肢を表わす。選択肢集積部であるバーコード１００Ａ〜１００Ｇには、各選択肢部で選んだ結果の各選択肢の情報が記録されている。
【００１１】
図２の情報カードにおいて、顧客であるアンケート回答者が「あなたのお買いになられた種類は？」の選択肢部の中から「▲１▼フルーツミックス」を選択すると、選択肢線ａを辿って「何ミックス？」の選択肢部に到達する。この選択肢部で「▲１▼オレンジ・マンゴ」の選択肢を選択すると、選択肢線ｄを辿って「果物とアイスクリームの相性は？」の選択肢部に到達する。この選択肢部で「▲２▼ちょうど良い」の選択肢を選択すると、選択肢線ｉを辿って選択肢集積部の一つであるバーコード１００Ｂに到達し、最終的にこのバーコード１００Ｂにマークを入れるようになっている。このバーコード１００Ｂには、上記選択した情報である「購買した種類はフルーツミックスのオレンジマンゴであり、果物とアイスクリームの相性はちょうど良いという」情報とカード種別情報である「女性」情報がバーコードとして記録されており、このバーコードを店員等がバーコード読み取り器により読み取ることにより、簡単にアンケートの集計ができる。
【００１２】
実施の形態２．
図３はこの発明の実施の形態２による情報カードを示す構成図である。図３において、本実施の形態の情報カード１は、選択肢が記載されている選択肢部１０，２０，３０，４０と、上記選択肢部１０，２０，３０，４０内の選択肢を選ぶことにより自ずと決定される選択肢線ａ〜ｉと、この選択肢線ａ〜ｉを辿ることにより最終的に行き着く選択情報集積部１００Ａ〜１００Ｆを有している。
【００１３】
選択情報集積部１００Ａ〜１００Ｆには、上記選択肢部１０，２０，３０，４０で選んだ結果の各選択肢の情報が集積されている。例えば、選択情報集積部１００Ａは、選択肢部１０で選択肢１０Ａを選択し、選択肢線ａを辿って選択肢部２０で選択肢２０Ａを選択した結果の選択肢情報（選択肢１０Ａ，選択肢２０Ａの内容）が集積されている。この選択情報集積部１００Ａ〜１００Ｆは、例えばバーコード、穿孔、磁性体、ＩＣチップ等により形成され、磁気的・光学的・電気的な読み取り手段により自動的に読み取ることができるようになっている。
【００１４】
図４は図３の情報カードを選挙用紙に適用した例を示す。図４において、全国区被選挙人の選択肢部において、選択肢として「▲１▼候補者Ａ、▲２▼候補者Ｂ、▲３▼候補者Ｃ」を備えている。また、地方区被選挙人の選択肢部において、選択肢として「▲１▼候補者Ｄ、▲２▼候補者Ｅ」を備えている。選択肢集積部であるバーコード１００Ａ〜１００Ｆには、各選択肢部で選んだ各候補者の情報が記録されている。
【００１５】
図４の情報カードにおいて、選挙人が「全国区」の選択肢部の中から「▲１▼候補者Ａ」を選択すると、選択肢線ａを辿って「地方区」の選択肢部に到達する。この選択肢部で「▲１▼候補者Ｄ」の選択肢を選択すると、選択肢線ｆを辿って選択肢集積部の一つであるバーコード１００Ａに到達し、最終的にこのバーコード１００Ｂにマークを入れるようになっている。このバーコード１００Ｂには、上記選択した候補者である「全国区は候補者Ａ、地方区は候補者Ｄ」という情報がバーコードとして記録されており、このバーコードを選挙関係者がバーコード読み取り器により読み取ることにより、簡単に選挙の集計ができる。
【００１６】
【発明の効果】
以上のように、この発明によれば、選択肢が記載されている選択肢部と、この選択肢部内の選択肢を選ぶことにより決定される選択肢線と、この選択肢線を辿ることにより行き着き上記選択された情報が集積されている選択情報集積部とを備え、選択情報集積部の情報を自動読取機により読み取ることができるようになっているので、簡単に情報を選択できるとともに、選択した情報の読み取り／収集が容易にできる。
【図面の簡単な説明】
【図１】この発明の実施の形態１による情報カードを示す構成図である。
【図２】図１の情報カードをアンケートカードに適用した例を示す図である。
【図３】この発明の実施の形態２による情報カードを示す構成図である。
【図４】図２の情報カードを選挙用紙に適用した例を示す図である。
【符号の説明】
１  情報カード、１０，２０，３０，４０，５０  選択肢部、１００Ａ〜１００Ｇ  選択情報集積部、２００  カード種別情報。
【図１】
2004202942.tif 000003
【図２】
2004202942.tif 000004
【図３】
2004202942.tif 000005
【図４】
2004202942.tif 000006